(57)【要約】 【課題】  ロックの適否の判断をより確実に行えるようにする。【解決手段】  雌ハウジング３０には、ロックアーム４０とは別に補助弾性片５０が設けられ、補助弾性片５０は、押圧部４６が被押圧溝５４の溝底を押圧することでロックアーム４０と連動して撓み変形し、またロックアーム４０とは独立して復元変形し、先端の第２打圧部５２が相手の雄ハウジング１０の上面壁１９の奥側に設けられた第２被打圧部２６を打圧可能である。第２被打圧部２６は、ロックアーム４０の第１打圧部４５が打圧する第１被打圧部２５より低い位置に設けられる。両ハウジング１０，３０が正規嵌合されると、補助弾性片５０とロックアーム４０とが時間差を持って雄ハウジング１０の被打圧部２６，２５を打圧し、２回の連続した打圧音が発生する。特徴的な打圧音が得られることで、周囲が騒がしい環境下でも打圧音を聞き分けることができる。【選択図】  図７
2006324135.tif 000002
【特許請求の範囲】
【請求項１】
互いに嵌合される一対のコネクタハウジングのうちの一方のコネクタハウジングには弾性変形可能なロックアームが設けられ、両コネクタハウジングが嵌合される過程では前記ロックアームが弾性変形し、正規嵌合に至ると前記ロックアームが弾性復帰して他方のコネクタハウジングを打圧しつつこの他方のコネクタハウジングに設けられたロック受け部に係止してロックするようにしたコネクタにおいて、
前記一方のコネクタハウジングには、前記ロックアームとは別体でかつロックアームの弾性変形と連動して弾性変形可能な補助弾性片が設けられ、この補助弾性片は前記ロックアームとともに弾性復帰し、前記ロックアームが前記他方のコネクタハウジングを打圧するのとは時間差を持って前記他方のコネクタハウジングを打圧可能となっていることを特徴とするコネクタ。
【請求項２】
前記ロックアームが打圧する被打圧部と、前記補助弾性片が打圧する被打圧部とは、前記他方のコネクタハウジングの壁面からの突出高さを異にして形成されていることを特徴とする請求項１記載のコネクタ。
【請求項３】
前記補助弾性片は互いに独立した複数本が備えられ、各補助弾性片同士が互いに時間差を持って前記他方のコネクタハウジングを打圧可能となっていることを特徴とする請求項１または請求項２記載のコネクタ。
【発明の詳細な説明】
【技術分野】
【０００１】
本発明は、一対のコネクタハウジングを正規嵌合状態にロックする機能を備えたコネクタに関する。
【背景技術】
【０００２】
ロック機能を備えたコネクタとして、例えば特許文献１に記載されたものが知られている。このものは、一方のコネクタハウジングに、突起を設けたロックアームが撓み変形に設けられるとともに、他方のコネクタハウジングの内壁面に、上記の突起が嵌るロック孔が開口された構造である。そして、両ハウジングが嵌合される過程では、突起が相手ハウジングの内壁面に乗り上げることでロックアームが撓み変形し、両ハウジングが正規嵌合に至ると、ロックアームが復元変形して突起がロック孔に嵌ることにより、両ハウジングが正規嵌合状態にロックされる。  
また、このようなコネクタでは、ロックアームが復元変形する際に、相手ハウジングの内壁面を勢い良く打圧してパチンという音を発し、この打圧音によって作業者はロックされたことを知ることができるようになっている。
【特許文献１】特開平４−３２２０８０号公報
【発明の開示】
【発明が解決しようとする課題】
【０００３】
しかるに例えば小型のコネクタになると、ロックアームの復元弾力も小さく、したがって打圧音も小さくなるために、特に騒音等が激しい作業環境下では、打圧音を頼りにロック状態を判断することが難しいという問題があった。  
本発明は上記のような事情に基づいて完成されたものであって、その目的は、ロックの適否の判断をより確実に行えるようにするところにある。
【課題を解決するための手段】
【０００４】
上記の目的を達成するための手段として、請求項１の発明は、互いに嵌合される一対のコネクタハウジングのうちの一方のコネクタハウジングには弾性変形可能なロックアームが設けられ、両コネクタハウジングが嵌合される過程では前記ロックアームが弾性変形し、正規嵌合に至ると前記ロックアームが弾性復帰して他方のコネクタハウジングを打圧しつつこの他方のコネクタハウジングに設けられたロック受け部に係止してロックするようにしたコネクタにおいて、前記一方のコネクタハウジングには、前記ロックアームとは別体でかつロックアームの弾性変形と連動して弾性変形可能な補助弾性片が設けられ、この補助弾性片は前記ロックアームとともに弾性復帰し、前記ロックアームが前記他方のコネクタハウジングを打圧するのとは時間差を持って前記他方のコネクタハウジングを打圧可能となっている構成としたところに特徴を有する。
【０００５】
請求項２の発明は、請求項１に記載のものにおいて、前記ロックアームが打圧する被打圧部と、前記補助弾性片が打圧する被打圧部とは、前記他方のコネクタハウジングの壁面からの突出高さを異にして形成されているところに特徴を有する。  
請求項３の発明は、請求項１または請求項２に記載のものにおいて、前記補助弾性片は互いに独立した複数本が備えられ、各補助弾性片同士が互いに時間差を持って前記他方のコネクタハウジングを打圧可能となっているところに特徴を有する。
【発明の効果】
【０００６】
＜請求項１の発明＞
両コネクタハウジングが正規嵌合されると、補助弾性片とロックアームとが時間差を持って他方のコネクタハウジングを打圧し、少なくとも２回の連続した打圧音が発生する。このような連続した複数回の打圧音は、１回のみの打圧音と比べて特徴的であるから、作業者は周囲が騒がしい環境下でもこの打圧音を聞き分けて、ロックの適否の判断を確実に行うことができる。
【０００７】
＜請求項２の発明＞
ロックアーム側の被打圧部と補助弾性片側の被打圧部の高さを変えるといった簡単な構造で、打圧のタイミングの差を付けることができる。  
＜請求項３の発明＞
ロックアームを含めて３回以上の連続した打圧音が発せられ、より特徴的な打圧音を得ることができる。
【発明を実施するための最良の形態】
【０００８】
以下、本発明の実施形態を添付図面に基づいて説明する。  
＜実施形態１＞
本発明の実施形態１を図１ないし図８によって説明する。  
この実施形態では、図１に示すように、互いに嵌合可能な雄側のコネクタハウジング１０（以下、雄ハウジング１０という）と、雌側のコネクタハウジング３０（以下、雌ハウジング３０という）とを備えている。なお以下では、各ハウジング１０，３０において、嵌合面側を前側として説明する。
【０００９】
雄ハウジング１０は機器直結型であって、図２にも示すように、合成樹脂製の機器ケースの側壁１１から、やや横長の角筒状をなすフード部１２が一体的に突設された形状となっている。フード部１２の奥面における下部領域からは、タブ状をなす図示１４本の雄端子１４が、上下二段に分かれて整列して突設されている。  
フード部１２の天井面における左右両端部に寄った位置には、左右一対の仕切壁１５が垂下して形成され、両仕切壁１５は、フード部１２の奥行の全長にわたり、下縁がフード部１２のほぼ中央高さ位置に達している。
【００１０】
左右の仕切壁１５の外側には、互いに対向した鈎型の断面形状のガイド溝１６が前後方向に沿って形成され、後記する雌ハウジング３０に設けられたガイドリブ３９がほぼ緊密に進入可能となっている。また、両仕切壁１５の間の領域が、同じく雌ハウジング３０に設けられたロックアーム４０並びに補助弾性片５０が進入する進入空間１７となっている。
【００１１】
雌ハウジング３０は同じく合成樹脂製であって、図３ないし図５にも示すように、雄ハウジング１０のフード部１２内における仕切壁１５の下端よりも下側の領域内に緊密に嵌合可能なブロック状をなすハウジング本体３１を有している。ハウジング本体３１内には、前後方向を向いた図示１４個のキャビティ３２が、上下二段にわたって上記した雄端子１４と対応した配列で形成されている。各キャビティ３２の前面には、相手の雄端子１４が挿入可能な端子挿入口３３が形成されている。
【００１２】
各キャビティ３２内には、電線３４の端末に固着された雌端子３５が後方から挿入され、キャビティ３２の底壁に設けられたランス３７により一次係止され、さらに下面側から挿入されたリテーナ３８により二重に抜け止めされて収容されるようになっている。  
また、ハウジング本体３１の上面の左右両側縁に沿って、上記した雄ハウジング１０側のガイド溝１６内に緊密に進入可能な断面鈎型をなすガイドリブ３９が立てられている。
【００１３】
続いて、両ハウジング１０，３０間のロック構造について説明する。  
雌ハウジング３０のハウジング本体３１の上面における幅方向の中央位置には、ロックアーム４０が形成されている。このロックアーム４０は、雌ハウジング３０の全幅の１／３弱の幅寸法を有し、ハウジング本体３１の上面における前端から少し後退した位置で立ち上がったのち、ハウジング本体３１の上面の後端付近まで水平姿勢で延出された片持ち状に形成されており、立ち上がった基端側を支点として、延出端側が上下方向に撓み変形可能となっている。
【００１４】
ロックアーム４０の上面における長さ方向の中央部には、突起４２が形成されている。この突起４２は、後面側（延出端側）がほぼ垂直に切り立った被係止面４２Ａとなっているとともに、前面側が、前方に向けて下り勾配に傾斜したガイド面４２Ｂとなっている。また、ロックアーム４０の上面は、突起４２を挟んだ前側（基端側）よりも、後側（延出端側）の方が一段高い高位面４３となった段差状に形成されている。  
ロックアーム４０の延出端には、このロックアーム４０を強制的に撓み変形させるロック解除用の操作部４４が形成されている。
【００１５】
一方、雄ハウジング１０におけるフード部１２の上面壁、詳細には進入空間１７の上面壁１９の内面には、その幅方向の中央部において、上記したロックアーム４０の突起４２が嵌るロック溝２０が形成されている。このロック溝２０は、上面壁１９の前端から所定寸法入った位置から後方に向けて切られており、このロック溝２０の前面が逆テーパ状の係止面２０Ａとなって、突起４２の被係止面４２Ａと対向して係止するようになっている。また、同上面壁１９では、その前面の下側角部に傾斜面が形成されてガイド面２２とされている。
【００１６】
詳しくは後記するように、雌ハウジング３０が雄ハウジング１０のフード部１２内に嵌合されると、嵌合の途中で、突起４２のガイド面４２Ｂが、上面壁１９の前面のガイド面４２Ｂに当たることで、ロックアーム４０が撓み変形しつつ押し込まれ（図６（Ａ）参照）、雌ハウジング３０が所定位置まで嵌合されると、突起４２がロック溝２０の前面部２３の下面を通過することで、ロックアーム４０が元姿勢に向けて変形し（図８（Ａ）参照）、突起４２がロック溝２０の前端部に嵌ってロックされる。このとき併せて、ロックアーム４０の上面の高位面４３における突起４２に近い部分が、ロック溝２０の前面部２３の下面を打圧する。したがって、ロックアーム４０の上面の高位面４３における突起４２に近い部分が第１打圧部４５、これに打圧される前面部２３の下面が第１被打圧部２５となる。
【００１７】
さて、ロックアーム４０が設けられた雌ハウジング３０には、補助弾性片５０が設けられている。この補助弾性片５０は、左右一対のアーム部５１の先端同士を第２打圧部５２で連結してなる平面門型に形成されている。より詳細には、左右のアーム部５１は、ハウジング本体３１の上面の後端部におけるロックアーム４０の延出端を挟んだ左右両側から立ち上がったのち、ロックアーム４０の左右の側縁に沿うようにしてハウジング本体３１の上面の前端位置、すなわちロックアーム４０の基端を超えた位置まで水平姿勢で延出された片持ち状に形成されており、両アーム部５１の延出端同士が上記のように第２打圧部５２で連結されている。  
補助弾性片５０の全幅は、雄ハウジング１０側の両仕切壁１５の間に挿入可能な寸法である。
【００１８】
この補助弾性片５０は、両アーム部５１の基端側を支点として、第２打圧部５２が上下方向に撓み変形可能となっているが、上記したロックアーム４０の撓み変形と連動して撓み変形するようになっている。そのため、ロックアーム４０における突起４２の形成位置付近の左右両側面には、押圧部４６が張り出し形成されている一方、補助弾性片５０の両アーム部５１における内面側には、上記した押圧部４６が進入可能な被押圧溝５４が形成され、押圧部４６が被押圧溝５４の溝底を押圧可能となっている。したがって、ロックアーム４０が上記のように撓み変形すると、押圧部４６が被押圧溝５４の溝底を押圧することで、補助弾性片５０は第２打圧部５２が下がる方向に撓み変形するようになっている（図６（Ｂ）参照）。
【００１９】
一方、ロックアーム４０が元姿勢に向けて復元変形することに伴い、補助弾性片５０も元姿勢に向けて復元変形し、補助弾性片５０の第２打圧部５２が、雄ハウジング１０における進入空間１７の上面壁１９における奥側の内面を打圧しようとする。  
この実施形態では特に、補助弾性片５０の第２打圧部５２が相手の被打圧部を打圧するタイミングが、ロックアーム４０の第１打圧部４５が第１被打圧部２５を打圧するタイミングよりも所定時間早くなる設定となっている。
【００２０】
そのためこの実施形態では、図１及び図２に示すように、進入空間１７の上面壁１９の奥側の内面には、ロック溝２０を挟んだ左右両側において、一対の第２被打圧部２６が突出形成されている。両第２被打圧部２６は、その下面が補助弾性片５０の第２打圧部５２の左右両端部が打圧される被打圧面２６Ａとなっており、この被打圧面２６Ａは、第１被打圧部２５よりも所定寸法低い位置、例えば上面壁１９の内面から、ロック溝２０の深さの１．５倍程度の寸法下がった位置に来るようになっている。また後記するように、補助弾性片５０の第２打圧部５２が第２被打圧部２６に打圧されるときには、元姿勢に戻る手前の若干先下がりの姿勢を取るため、第２打圧部５２が面当たりできるように、被打圧面２６Ａは若干奥下がりとなった傾斜状に形成されている。  
なお、両第２被打圧部２６の前面側は、内側の領域に、ロックアーム４０の基端側を逃がすように切欠部２７が形成され、また外側の領域は、撓み変形する前の補助弾性片５０の第２打圧部５２との干渉を避けるために、テーパ面２８とされている。
【００２１】
なお、雌ハウジング３０におけるハウジング本体３１の上面の後端部には、ロックアーム４０の操作部４４と、補助弾性片５０の基端の回りを覆ってアーチ状の保護壁５６が形成されており、主にロックアーム４０の操作部４４に異物が不用意に当たったり、操作部４４の下面に電線３４が入り込むことを防止するようになっている。ただし、保護壁５６の上面には、操作部４４の押圧操作用の開口５７が切り欠き形成されている。
【００２２】
本実施形態の作用を説明する。  
図１に示す状態から、雌ハウジング３０が雄ハウジング１０のフード部１２内に嵌合されると、ガイドリブ３９とガイド溝１６とで案内されつつ、ロックアーム４０と補助弾性片５０とがフード部１２の進入空間１７に真直に進入する。それとともに、雄端子１４が端子挿入口３３からキャビティ３２内に挿入されて、対応する雌端子３５との接続が進められる。
【００２３】
嵌合動作が終盤に近づくと、図６（Ａ）に示すように、ロックアーム４０の突起４２のガイド面４２Ｂが、雄ハウジング１０の上面壁１９の前面のガイド面２２に当たり、さらに嵌合されると、突起４２がロック溝２０の前面部２３の下面に乗り上げることで、ロックアーム４０は操作部４４側が下方に撓み変形しつつ押し込まれる。  
ロックアーム４０が上記のように撓み変形すると、同図（Ｂ）に示すように、ロックアーム４０の両押圧部４６が、補助弾性片５０の各アーム部５１に形成された被押圧溝５４の溝底を押圧することにより、補助弾性片５０は第２打圧部５２が下がる方向に撓み変形する。
【００２４】
雌ハウジング３０のハウジング本体３１がフード部１２の奥面に達し、すなわち対応する雄端子１４と雌端子３５同士が正規に接続された正規嵌合状態に至ると、ロックアーム４０の突起４２が前面部２３の下面を通過するため、ロックアーム４０並びに補助弾性片５０は、元姿勢に向けて一体的に復元変形する。  
そうすると、まず図７（Ａ），（Ｂ）に示すように、補助弾性片５０の第２打圧部５２が、低い位置にある第２被打圧部２６の被打圧面２６Ａを打圧し、１回目の打圧音が発せられる。  
続いて、図８（Ａ），（Ｂ）に示すように、補助弾性片５０を残したままロックアーム４０のみが元姿勢に復元変形し、それに伴いロックアーム４０の第１打圧部４５が、第１被打圧部２５を打圧し、所定の時間差を持って２回目の打圧音が発せられる。それとともに、ロックアーム４０の突起４２がロック溝２０に嵌ってロックされる。
【００２５】
すなわち本実施形態によれば、両ハウジング１０，３０が正規嵌合されると、補助弾性片５０とロックアーム４０とが時間差を持ってそれぞれ第２被打圧部２６と第１被打圧部２５とを打圧し、２回の連続した打圧音が発生する。このような連続した２回の打圧音は、１回のみの打圧音と比べて特徴的であるから、作業者は周囲が騒がしい環境下でもこの打圧音を聞き分けて、ロックの適否の判断を確実に行うことができる。  
しかもこの打圧の時間差を得るための手段としては、第１被打圧部２５と第２被打圧部２６との高さ位置を変える構造を採用したから、簡単に対応することができる。
【００２６】
＜実施形態２＞
次に、本発明の実施形態２を図９ないし図１３によって説明する。  
この実施形態２では、３回の打圧音がそれぞれ時間差を持って連続して発せられるようになっており、以下には、上記実施形態１とは相違した部分を主に説明することとし、実施形態１と同一機能を有する部位については、同一符号を付すことにより説明を簡略化し、または省略する。
【００２７】
この実施形態２では、雌ハウジング３０Ａに設けられた補助弾性片６０において、左右のアーム部６１Ｌ，６１Ｒの延出端が連結されておらず、すなわち各アーム部６１Ｌ，６１Ｒが独立して撓み変形並びに復元変形ができるようになっている。そして、正面から見た左側のアーム部６１Ｌの延出端が第２打圧部６２、右側のアーム部６１Ｒの延出端が第３打圧部６３とされている。
【００２８】
一方、雄ハウジング１０Ａ側では、進入空間１７の上面壁１９の奥側の内面において、ロック溝２０を挟んだ正面から見た右側に、第２打圧部６２により打圧される第２被打圧部６５が、左側に、第３打圧部６３により打圧される第３被打圧部６６がそれぞれ突出形成されている。両被打圧部６５，６６の被打圧面６５Ａ，６６Ａはともに、第１被打圧部２５よりも低い位置に設定されているが、第２被打圧部６５の被打圧面６５Ａは、上面壁１９の内面から、ロック溝２０の深さ程度下がった位置に設定され、第３被打圧部６６の被打圧面６６Ａは、同上面壁１９の内面から、ロック溝２０の深さの１．５倍程度の寸法下がった位置といった、さらに低い位置に設定されている。
【００２９】
なお、第２被打圧部６５と第３被打圧部６６の被打圧面６５Ａ，６６Ａが、相手の第２打圧部６２、第３打圧部６３と面当たりできるように、若干奥下がりとなった傾斜状に形成されていること、また両被打圧部６５，６６の前面側は、内側の領域に、ロックアーム４０の基端側を逃がすように切欠部２７が形成され、また外側の領域は、撓み変形する前の補助弾性片６０の第２打圧部６２または第３打圧部６３との干渉を避けるために、テーパ面２８とされていることは、上記実施形態１と同様である。
【００３０】
実施形態２の作用は以下のようである。  
図９に示す状態から、雌ハウジング３０Ａが雄ハウジング１０Ａのフード部１２内に嵌合され、その嵌合動作が終盤に近づくと、図１２に示すように、ロックアーム４０の突起４２がロック溝２０の前面部２３の下面に乗り上げることで、ロックアーム４０は操作部４４側が下方に撓み変形しつつ押し込まれ、それに伴い、ロックアーム４０の両押圧部４６が、補助弾性片６０の各アーム部６１Ｌ，６１Ｒに形成された被押圧溝５４の溝底を押圧することにより、両アーム部６１Ｌ，６１Ｒは揃って先下がりに撓み変形する。
【００３１】
両ハウジング１０Ａ，３０Ａが正規嵌合されると、ロックアーム４０の突起４２が前面部２３の下面を通過するため、ロックアーム４０並びに補助弾性片６０の両アーム部６１Ｌ，６１Ｒは、元姿勢に向けて一体的に復元変形する。  
そうすると、まず図１３（Ａ）に示すように、補助弾性片６０の右側（同図の手前側）のアーム部６１Ｒの第３打圧部６３が、一番低い第３被打圧部６６の被打圧面６６Ａを打圧し、１回目の打圧音が発せられる。続いて、同図（Ｂ）に示すように、右側のアーム部６１Ｒを残したまま、左側（同図の奥側）のアーム部６１Ｌとロックアーム４０とが復元変形し、今度は左側のアーム部６１Ｌの第２打圧部６２が、２番目に低い第２被打圧部６５の被打圧面６５Ａを打圧し、時間差を持って２回目の打圧音が発せられる。
【００３２】
最後に、図１３（Ｃ）に示すように、補助弾性片６０の両アーム部６１Ｌ，６１Ｒを残したままロックアーム４０のみが元姿勢に復元変形し、それに伴いロックアーム４０の第１打圧部４５が、第１被打圧部２５を打圧し、さらに時間差を持って３回目の打圧音が発せられる。それとともに、ロックアーム４０の突起４２がロック溝２０に嵌ってロックされる。  
すなわちこの実施形態２によれば、ロックアーム４０を含めて３回の連続した打圧音が発せられ、より特徴的な打圧音を得ることができる。
【００３３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）補助弾性片においてアーム部の本数を増やす等により、４回以上の打圧音を連続して発生させるようにすることも可能である。  
（２）上記実施形態とは逆に、ロックアームと補助弾性片とを雄ハウジング側に設けるようにしてもよい。  
（３）本発明は、ロックアームとして、長さ方向の中央部の支点を中心として揺動する、いわゆるシーソー形式を採用したものにも同様に適用することができる。  
（４）上記実施形態では、雄ハウジングが機器直結型であるものを例示したが、ワイヤハーネスの端末に接続される形式のハウジングであってもよい。
【図面の簡単な説明】
【００３４】
【図１】本発明の実施形態１に係る雄雌のハウジングの嵌合前の縦断面図
【図２】雄ハウジングの正面図
【図３】雌ハウジングの一部切欠正面図
【図４】同平面図
【図５】同縦断面図
【図６】両ハウジングの嵌合途中の縦断面図
【図７】１回目の打圧音発生時の状態を示す縦断面図
【図８】２回目の打圧音発生時の状態を示す縦断面図
【図９】実施形態２に係る雄雌のハウジングの嵌合前の縦断面図
【図１０】雄ハウジングの正面図
【図１１】同平面図
【図１２】両ハウジングの嵌合途中の縦断面図
【図１３】打圧音の発生過程を示す縦断面図
【符号の説明】
【００３５】
１０…雄ハウジング（他方のコネクタハウジング）
１２…フード部
１９…上面壁
２０…ロック溝（ロック受け部）
２３…（ロック溝２０の）前面部
２５…第１被打圧部
２６…第２被打圧部
２６Ａ…被打圧面
３０…雌ハウジング（一方のコネクタハウジング）
３１…ハウジング本体
４０…ロックアーム
４２…突起
４５…第１打圧部
４６…押圧部
５０…補助弾性片
５１…アーム部
５２…第２打圧部
５４…被押圧溝
１０Ａ…雄ハウジング（他方のコネクタハウジング）
３０Ａ…雌ハウジング（一方のコネクタハウジング）
６０…補助弾性片
６１Ｌ，６１Ｒ…アーム部
６２…第２打圧部
６３…第３打圧部
６５…第２被打圧部
６６…第３被打圧部
【図１】
2006324135.tif 000003
【図２】
2006324135.tif 000004
【図３】
2006324135.tif 000005
【図４】
2006324135.tif 000006
【図５】
2006324135.tif 000007
【図６】
2006324135.tif 000008
【図７】
2006324135.tif 000009
【図８】
2006324135.tif 000010
【図９】
2006324135.tif 000011
【図１０】
2006324135.tif 000012
【図１１】
2006324135.tif 000013
【図１２】
2006324135.tif 000014
【図１３】
2006324135.tif 000015